(57)【要約】  本発明は、電源モジュール（１０）によって給電される少なくとも１つの駆動用電気機械と、該電源モジュール（１０）から発生する熱気の冷却回路であって、電源モジュール（１０）に接続された空気入側ダクト（１４）および出側ダクト（１５）、出側ダクト（１５）の出口で空気循環を加速させる空気脈動装置（１６）、ならびに脈動装置（１６）から送られてくる空気を車両の後方に排出する抽出ダクト（１７）を備える冷却回路とを具備する車両において、排出ダクト（１７）の空気出口（１７１）が車両のフロア（９）下に突き出るように空気排出ダクト（１７）が配置されることを特徴とする車両、とりわけ自動車車両に関する。
2013503073.tif 000002
【特許請求の範囲】
【請求項１】
電源モジュール（１０）によって給電される少なくとも１つの駆動用電気機械と、前記電源モジュール（１０）から発生する熱気の冷却回路であって、前記電源モジュール（１０）に接続された空気入側ダクト（１４）および出側ダクト（１５）、前記出側ダクト（１５）の出口で空気循環を加速させる空気脈動装置（１６）、ならびに前記脈動装置（１６）から送られてくる空気を車両の後方に排出する空気抽出ダクト（１７）を備える冷却回路とを具備する車両において、前記排出ダクト（１７）の空気出口（１７１）が車両のフロア（９）下に突き出るように前記空気排出ダクト（１７）が配置されることを特徴とする車両、とりわけ自動車車両。
【請求項２】
前記排出ダクト（１７）の前記空気出口（１７１）が、車両のホイールハウス（５）直近の車両フロア（９）の下に突き出ることを特徴とする、請求項１に記載の車両。
【請求項３】
前記排出ダクト（１７）の前記空気出口（１７１）が、車両のホイールハウス（５）直近であって、前記ホイールハウス（５）後方の車両フロア（９）の下に突き出ることを特徴とする、請求項２に記載の車両。
【請求項４】
前記脈動装置（１６）が、車体の外板と前記ホイールハウス（５）の後方内側パネルの間に配置されることを特徴とする、請求項３に記載の車両。
【請求項５】
前記入側ダクト（１４）および前記出側ダクト（１５）が、前記電源モジュール（１０）の同じ側面に接続され、相補的な形状をなすことを特徴とする、請求項１ないし４のいずれか一項に記載の車両。
【請求項６】
前記出側ダクト（１５）が、前記電源モジュール（１０）出口に接続された第１の区間（１５１）と、前記第１の区間（１５１）の出口と前記脈動装置（１６）の入口の間に接続された第２の区間（１５２）とを備え、前記第１と第２の区間（１５１、１５２）の間は、前記第１と第２の区間（１５１、１５２）の柔軟な機械的結合を果たすとともに、車両の車室に振動が侵入するのを防ぐ働きをする連結ベローズ（１５３）によって連結されることを特徴とする、請求項１ないし５のいずれか一項に記載の車両。
【請求項７】
前記空気排出ダクト（１７）がフロア（９）下面に接続された直線部を有していること、およびその自由端（１７１）が車両外側に向かって肘形に曲がっていることを特徴とする、請求項１ないし６のいずれか一項に記載の車両。
【請求項８】
前記肘形部（１７１）が車両後方に向けて顕著なねじりを与えられていることを特徴とする、請求項７に記載の車両。
【請求項９】
前記排出ダクト（１７）の前記空気出口（１７１）が、前記冷却回路を出る気流が通るときには開き、気流がないときには閉じて前記排出ダクト（１７）を塞ぐことができる可動弁（１９）によって閉ざされることを特徴とする、請求項１ないし８のいずれか一項に記載の車両。
【請求項１０】
前記電源モジュール（１０）が車両のトランク（６）のスペース内に配置されることを特徴とする、請求項１ないし９のいずれか一項に記載の車両。
【発明の詳細な説明】
【技術分野】
【０００１】
本発明は、プラグイン式または非プラグイン式の、熱／電気ハイブリッド型または完全電気型などである自動車車両に関する。
【０００２】
かかる車両は、電源モジュールによる給電を受ける少なくとも１つの駆動用電気機械と、そのモジュールの冷却回路とを備える。
【背景技術】
【０００３】
従来、電源モジュールには抽出ダクトが接続されており、モジュール動作時に発生する熱気をそのダクトによって排出できるようになっている。
【０００４】
実際、１つまたは複数のバッテリなど、電源モジュールの良好な動作を確保するためには、電源モジュールから発生する熱気を排出する必要がある。その熱気が効果的に排出されないと、電源モジュールおよびその各構成要素が損傷する危険があり、それによって、いずれは電源モジュールおよびその各構成要素の動作不良へとつながりかねない。
【０００５】
さらに、熱気が排出されないと、乗員の温度的な快適性が損なわれる危険がある。
【０００６】
そこで、その熱気が車両の外にできるだけ速やかに排出されるようにする必要がある。
【０００７】
一方、一般にトランクのフロアにおいて車両後部座席のすぐ背後に配置される電源モジュールは、それ自体大いにかさばるものであることを考えると、冷却回路の大きさを最適化できることは重要である。
【０００８】
電源モジュールおよびその冷却回路が場所をとると、トランクの有効空間はそれだけ減ることになる。
【０００９】
米国特許公開公報２００８／０１９６９５７号が教示するように、冷却回路は車両後部座席の背後に配置されて車両後方に延びており、排出ダクトは、トランクと車両後部フェンダの間のトランクの傍らに、または直に車両のトランク内部に開口する。
【００１０】
そのため、熱気の排出ダクトは車両の車室後方の車体内に完全に収まったままである。
【００１１】
かかる設置には、極めてかさばる上に、熱量を素早く車外に排出することができないという欠点がある。
【００１２】
その結果、乗員、とりわけ後部乗員の温度的な快適性が損なわれる。
【先行技術文献】
【特許文献】
【００１３】
【特許文献１】米国特許公開公報第２００８／０１９６９５７号
【発明の概要】
【００１４】
本発明は、コンパクトな解決策を提案しつつこれらの欠点を補強することを目的とし、熱量を電源モジュールの直近で排出することができ、それによって同時に冷却回路の寸法と乗員の温度的快適性を最適化できるようにする。
【００１５】
本発明による冷却回路の設置によってもたらされるもう１つの利点は、車両乗員に生じうる聴覚的影響を最小限に抑えながら、熱気の排出を加速する装置を備えることにある。
【００１６】
そのため、本発明は、電源モジュールによって給電される少なくとも１つの駆動用電気機械と、該電源モジュールから発生する熱気の冷却回路であって、電源モジュールに接続された空気入側ダクトおよび出側ダクト、出側ダクトの出口で空気循環を加速させる空気脈動装置、ならびに脈動装置から送られてくる空気を車両の後方に排出する抽出ダクトを備える冷却回路とを具備する車両において、空気排出ダクトの空気出口が車両のフロア下に突き出るように空気排出ダクトが配置されることを特徴とする車両、とりわけ自動車車両を提案する。
【００１７】
１つの特徴によれば、排出ダクトの空気出口は、車両のホイールハウス直近の車両フロアの下に突き出る。
【００１８】
もう１つの特徴によれば、排出ダクトの空気出口は、車両のホイールハウス直近であって、ホイールハウス後方の車両フロアの下に突き出る。
【００１９】
もう１つの特徴によれば、脈動装置は、車体の外板とホイールハウスの後方内側パネルの間に配置される。
【００２０】
もう１つの特徴によれば、入側および出側ダクトは、電源モジュールの同じ側面に接続され、相補的な形状をなす。
【００２１】
ダクトの１つの特徴によれば、出側ダクトは、電源モジュール出口に接続された第１の区間と、第１の区間の出口と脈動装置の入口の間に接続された第２の区間とを備え、第１と第２の区間の間は、連結ベローズ によって連結され、同時に、第１と第２の区間の柔軟な機械的結合を確保し、車両の車室への振動が再び高まるのを防ぐ。
【００２２】
１つの特徴によれば、空気排出ダクトはフロア下につながれた直線部を有しており、その自由端は車両外側に向かって肘形に曲がる。
【００２３】
排出ダクトのもう１つの特徴によれば、肘形屈曲部は車両後方に向けて顕著に突き抜けている。
【００２４】
排出ダクトのもう１つの特徴によれば、排出ダクトの空気出口は、冷却回路を出る気流が通るときには開き、気流がないときには閉じて排出ダクトを塞ぐことができる可動弁によって閉ざされる。
【００２５】
もう１つの特徴によれば、電源モジュールは車両のトランクのスペース内に配置される。
【００２６】
本発明のその他の特徴および利点は、添付の図面を参照しながら例として示す以下の説明を通して明らかとなるであろう。
【図面の簡単な説明】
【００２７】
【図１】電源モジュールおよび本発明によるその冷却回路が設置された自動車車両後部の斜視図である。
【図２】リアホイールハウスおよび本発明による冷却回路が見えるようにした車両後部の側面図である。
【図３】図２と類似した図であって、リアバンパーを取り外した場合の車体の外に露わになる冷却回路の可視部分のみの図である。
【発明を実施するための形態】
【００２８】
各図で、同じ要素には同じ参照番号が与えられている。
【００２９】
図１に、電源モジュール１０によって給電される電気モーター（図示せず）を備える車両の構造１の部分を示す。
【００３０】
周知のように、構造１は、車両の車室の下部を画定するフロアであって、車内を構成するための要素を支えるフロアを少なくとも１つ備える。図１には、フロアの後部２だけが示されている。
【００３１】
フロアは、プレス成形され、溶接によって互いに結合された鋼板の組立てにより、従来方法で実施される。さらに、フロアは、フロア表面を形成する鋼板、とりわけ、車両のトランク６の領域にあって耐荷重フロアを形成する鋼板９を支えるサイドレールやクロスメンバ（いずれも図示せず）などの構造要素を備える。
【００３２】
図２および３に示すように、車両の垂直方向にほぼ沿って延びるホイールハウス５は、耐荷重フロア９（トランクのフロア）およびその近くに配置されたサイドレール（図示せず）などに溶接される。ホイールハウス５は、構造部品（図示せず）を介して上部が車両の外板（図示せず）に固定され、車輪上部が収まるくぼみを画定する。
【００３３】
電源モジュール１０は、車両の後部座席（図示せず）背後の車両のトランク６の領域の耐荷重フロア９上に固定される。固定は、近くに配置されたサイドレールおよび／またはクロスメンバ上で実施される。
【００３４】
電源モジュール１０は、エネルギーおよび／または動力を貯蔵し、電気モーターに供給するためのあらゆる装置を含むことができる。この装置は、例えば、プリズム形、円筒形、フレキシブルバッグ式などの形態をなし、互いの間を電気回路でつながれた鉛蓄電池、Ｌｉイオン電池などの単体要素を備えることができる。電源モジュール１０は、電源モジュールを収容し保護するように堅牢で密閉性のある収容箱を形成するカバーによって、閉められるコンテナに収められる。図１に示した例では、電源モジュール１０はバッテリであり、説明を簡単にするため、「バッテリ」という語は、バッテリとバッテリを収める容器を同時に示すものとして用いる。
【００３５】
冷却回路は、その入側から出側に向かって、車室からバッテリ１０へ新鮮な空気を供給する入側ダクト１４と、バッテリによって熱せられた空気を回収する出側ダクト１５であって、ベローズ１５３によって連結される２つの区間１５１および１５２を備える出側ダクト１５と、車両の外への熱気の排出を加速するための脈動装置１６と、出口で肘形になり車両のフロア下方で熱気を排出することができる排出ダクト１７とを備える。
【００３６】
本発明によれば、入側ダクト１４は、ダクト１４の入口１８とその出口の間が最小限の容積となるように９０度の急な角度で肘形に曲がっている。入側ダクト１４の入口１８はほぼフロア９の高さに配置されており、入側ダクト１４は、そこからバッテリ１０上部まで急激に立ち上がることによって、その出口が、平行六面体の全体形状をなすボックス１０の小口面の１つにボックス１０のカバーのところで密封接続されるようにする。
【００３７】
その同じ小口面に、出側ダクト１５の第１の区間１５１の入口が密封接続され、ボックス１０の下部から、同じく９０度の急な角度で肘形に、ただし入側ダクト１４とは反対方向に延びる。
【００３８】
入側ダクト１４と出側ダクト１５の第１の区間１５１とは、ホイールハウス５とバッテリ１０の間の最小限のスペースを占めるように、またバッテリ１０の高さを超えないように成形される。
【００３９】
特に図１および２を見ると、入側ダクト１４と出側ダクト１５の第１の区間１５１のそれぞれの外形が完全に合致し、バッテリ１０の小口面から実際上はみ出していないことがわかる。
【００４０】
ボックス１０の空気出口は入側ダクト１４の入口１８とほぼ同じ高さである。
【００４１】
出側ダクト１５の第２の区間１５２は、連結ベローズ１５３によって第１の区間１５１の出口に密封接続される。
【００４２】
第２の区間１５２は、ベローズ１５３から、第２の区間１５２が密封接続される脈動装置１６の入口までの間で、ほぼ９０度でねじられる。
【００４３】
脈動装置１６はほぼ垂直な面に沿って設けられたタービンを備え、脈動装置１６の入口に入ってくる空気はそのタービン軸にほぼ沿って入る。
【００４４】
連結ベローズ１５３は、第１の機能として、出側ダクト１５の第１の区間１５１と第２の区間１５２との柔軟な機械的結合を果たして、出側ダクト１５の方向転換を容易にするとともに、第２の機能として、脈動装置１６から発して、出側ダクト１５の第２の区間１５２によって伝達されてバッテリ１０の方に、つまり車室に向かって侵入してくる振動を緩和する働きをする。
【００４５】
脈動装置１６の出口１２は、空気を下向きにほぼ垂直に送り出す方向、つまりトランクのフロア９と直角の方向に向けられている。
【００４６】
脈動装置の出口１２は、ホイールハウス５とトランクのフロア９の縁部の間で車両のフロア９に設けられた穴３のところで開口する。脈動装置１６の出口１２の固定は、出口１２と一体をなす台座１３によって行われる。穴３と台座１３は、穴３への台座１３の固定が密閉性をもって行われるように相補的な形状を有する。図示した実施形態によれば、穴３と台座１３はほぼ三角形の形状を有する。
【００４７】
この構成では、脈動装置はホイールハウス後部直近に配置され、説明例では、車両後輪のホイールハウス後方に配置される。
【００４８】
脈動装置を特にこのように配置した場合、脈動装置１６が車体の外板とホイールハウス５の後方内側パネル５１の間に配置されるため、車室に対して脈動装置１６の騒音を隠すことができるという利点がある。
【００４９】
排出ダクト１７は、フロア９外側で密閉台座１３に対して密封接続される。
【００５０】
排出ダクト１７は、自由端１７１が車両外側に向かって肘形に曲がった直線部１７１を有する。
【００５１】
排出ダクト１７は、最初はほぼ垂直方向に延びた後、数度のねじりを与えられながら、車両後方に向けてほぼ９０度で肘形に曲がる。ここに示した例では、直線部の長さは約１４０ｍｍであり、肘形部に与えられるねじり角は約７．１°である。
【００５２】
濡れた路面または埃っぽい路面など、厳しい条件のもとで行った車両走行テストの結果、フロア９の領域での排出の密閉度は、水や埃が冷却回路内部に侵入するのを防ぐには十分でないことが明らかになった。
【００５３】
排出ダクトの直線部が、肘形部の一部から延長されることによって、フロア下方に向かって跳ね上がる水の侵入を防ぐことができる。
【００５４】
また、排出回路１７をホイールハウス５後部のできるだけ近くに設置することにより、跳ね上がる水や埃に対してホイールハウス５がもつデフレクタ効果が与えられる。
【００５５】
直線部の長さおよび肘形部の向きは、跳ね上がる液体または固体の侵入を防ぐ一方で、熱気の排出に有利となるように最適化する。
【００５６】
肘形部の出口に弁１９を備えて、埃その他の固形物が排出ダクト内に侵入するのを防ぐこともできる。
【００５７】
弁１９は、周知のように、その上部を回転可能に取り付けられる。弁は、肘形端の開口部を重力によって自然に閉ざし、ダクト１７から気流が出るときには開く。
【００５８】
そのため、本発明による冷却回路により、車外への熱気の放出はバッテリの近くで、従って、より迅速に行われ、それによって車両乗員の熱的快適性が向上する。
【００５９】
一方、冷却回路の容積は最大限最適化され、それによって、ホイールハウス後方の、ホイールハウスとバッテリ小口面の間の限られたスペースに収まる全体的にコンパクトなシステムを提供する。
【００６０】
当然のことながら、本発明は上述した実施形態に限定されるものではない。そのため、本発明の範囲から逸脱することなく、熱気抽出ダクトの端部を右後輪後方に出すことも、入側および出側ダクトに他の形状を与えることもできる。
【図１】
2013503073.tif 000003
【図２】
2013503073.tif 000004
【図３】
2013503073.tif 000005
【図４】
2013503073.tif 000006
【国際調査報告】
2013503073.tif 000007
2013503073.tif 000008
2013503073.tif 000009
2013503073.tif 000010
2013503073.tif 000011
2013503073.tif 000012